(57)【要約】  本発明は、健膜瘤クッションに関し、特に、このことに限定されるわけではないが使用者の足指の周囲に配置される健膜瘤クッションに関する。本発明は、１またはそれ以上の突起部（４２）を有する表面を備え、前記突起部は表面から延びるとともに使用の際に前記表面が使用者の肌に隣接して配置されるような健膜瘤クッションを提供する。
2008544767.tif 000002
【特許請求の範囲】
【請求項１】
１またはそれ以上の突起部を有する表面を備え、前記突起部は表面から延びるとともに使用の際に前記表面が使用者の肌に隣接して配置されるような健膜瘤クッション。
【請求項２】
少なくとも１つの突起部は、前記表面の端部に隣接するよう配置され、使用の際にこの端部は前記少なくとも１つの突起部により使用者の肌から離間するようになっていることを特徴とする請求項１記載の健膜瘤クッション。
【請求項３】
前記表面における隣接する一の端部部分から前記表面における隣接する他の端部部分まで延びるような前記表面のある領域に、当該表面の領域から延びる少なくとも１つの突起部が設けられており、使用の際に前記表面の前記領域は使用者の肌から離間し、２つの端部部分の間において流体が連通するようになっていることを特徴とする請求項１または２記載の健膜瘤クッション。
【請求項４】
健膜瘤に隣接するよう配置されるクッション部分を更に備え、前記表面は前記クッション部分に広がっていることを特徴とする請求項１乃至３のいずれか一項に記載の健膜瘤クッション。
【請求項５】
前記健膜瘤クッション上にある前記表面は、閉じたループ形状であることを特徴とする請求項４記載の健膜瘤クッション。
【請求項６】
前記クッション部分上にある１または各突起部は、細長い尾根部のように設けられていることを特徴とする請求項４または５記載の健膜瘤クッション。
【請求項７】
前記１または各細長い尾根部は、前記閉じたループ形状の中央を通って半径方向に延びていることを特徴とする請求項６記載の健膜瘤クッション。
【請求項８】
少なくとも１つの前記細長い尾根部は、半円形状の断面を有することを特徴とする請求項６または７記載の健膜瘤クッション。
【請求項９】
使用者の肌に隣接する健膜瘤クッションを固定する固定手段を更に備え、前記表面は前記固定手段に広がっていることを特徴とする請求項１乃至８のいずれか一項に記載の健膜瘤クッション。
【請求項１０】
前記固定手段上にある前記表面は、閉じたループ形状であることを特徴とする請求項９記載の健膜瘤クッション。
【請求項１１】
前記固定手段上にある１または各突起部は、細長い尾根部のように設けられていることを特徴とする請求項９または１０記載の健膜瘤クッション。
【請求項１２】
前記１または各細長い尾根部は、前記固定手段の閉じたループ形状の中央を通って半径方向に延びていることを特徴とする請求項１１記載の健膜瘤クッション。
【請求項１３】
少なくとも１つの前記細長い尾根部は、半円形状の断面を有することを特徴とする請求項１１または１２記載の健膜瘤クッション。
【請求項１４】
１または各突起部は、前記表面から垂直方向に約０．５ｍｍ離間した平面に位置される自由端を有することを特徴とする請求項１乃至１３のいずれか一項に記載の健膜瘤クッション。
【請求項１５】
２つの隣り合う突起部は、互いに約２ｍｍ離間していることを特徴とする請求項１乃至１４のいずれか一項に記載の健膜瘤クッション。
【請求項１６】
健膜瘤に隣接するよう配置されるクッション部分と、
使用者の肌に隣接するクッション部分を固定する固定手段とを備え、
前記固定手段は、材料の閉じたループを備え、この材料の閉じたループの縦方向部分は平面となっていることを特徴とする健膜瘤クッション。
【請求項１７】
前記材料の閉じたループは、第２の縦方向部分を有しており、この第２の縦方向部分は、前記第１の縦方向部分の平面に対して角度をなすよう延びていることを特徴とする請求項１６記載の健膜瘤クッション。
【請求項１８】
前記角度は約９０°であることを特徴とする請求項１７記載の健膜瘤クッション。
【請求項１９】
前記角度は鋭角であることを特徴とする請求項１７記載の健膜瘤クッション。
【請求項２０】
前記角度は３０°〜４５°の範囲内にあり、好ましくは４５°であることを特徴とする請求項１９記載の健膜瘤クッション。
【請求項２１】
前記角度は、使用の際に使用者の肌に隣接するよう配置される前記固定手段の表面間に形成されることを特徴とする請求項１７乃至２０のいずれか一項に記載の健膜瘤クッション。
【請求項２２】
前記第１および第２の縦方向部分は、概して三角形形状を画定するよう設けられていることを特徴とする請求項１７乃至２１のいずれか一項に記載の健膜瘤クッション。
【請求項２３】
前記第１の縦方向部分は、互いに角度をなすような２つのほぼ一直線状の要素を備えたことを特徴とする請求項２２記載の健膜瘤クッション。
【請求項２４】
前記第２の縦方向部分および前記第１の縦方向部分の２つの要素は、３つの湾曲部分により互いに接続されており、概して三角形形状を有する材料の閉じたループを画定していることを特徴とする請求項２３記載の健膜瘤クッション。
【請求項２５】
前記第１の縦方向部分は、前記各湾曲部分のうちの１つにより前記クッション部分に隣接していることを特徴とする請求項２４記載の健膜瘤クッション。
【請求項２６】
前記第１の縦方向部分は、前記クッション部分と同じ平面上に配置されていることを特徴とする請求項２５記載の健膜瘤クッション。
【請求項２７】
前記第１の縦方向部分は、前記クッション部分が配置される平面に対して角度をなすような向きとなっている平面上に配置されていることを特徴とする請求項２５記載の健膜瘤クッション。
【請求項２８】
透明な材料から製造された健膜瘤クッション。
【請求項２９】
健膜瘤に隣接するよう配置されるクッション部分、および使用者の肌に隣接するクッション部分を固定する固定手段を備えた請求項２８記載の健膜瘤クッション。
【請求項３０】
前記健膜瘤クッションの材料のショア００硬度は３０〜６５の範囲内にあることを特徴とする請求項２８または２９記載の健膜瘤クッション。
【請求項３１】
前記健膜瘤クッションの材料のショア００硬度は５５であることを特徴とする請求項３０記載の健膜瘤クッション。
【請求項３２】
前記健膜瘤クッションの材料は、低い引っ張り強度となっていることを特徴とする請求項２８乃至３１のいずれか一項に記載の健膜瘤クッション。
【請求項３３】
前記引っ張り強度は１〜１０ＭＰａの範囲内にあることを特徴とする請求項３２記載の健膜瘤クッション。
【請求項３４】
前記引っ張り強度は２〜５ＭＰａの範囲内にあることを特徴とする請求項３３記載の健膜瘤クッション。
【請求項３５】
前記引っ張り強度は２．８ＭＰａであることを特徴とする請求項３４記載の健膜瘤クッション。
【請求項３６】
前記健膜瘤クッションはＴＰＥ  ＭＰ−１７９８熱可塑性エラストマーから製造されていることを特徴とする請求項２８乃至３５のいずれか一項に記載の健膜瘤クッション。
【請求項３７】
図面を参照して以上に実質的に記載される健膜瘤クッション。
【発明の詳細な説明】
【技術分野】
【０００１】
本発明は、健膜瘤クッションに関し、特に、このことに限定されるわけではないが使用者の足指の周囲に配置される健膜瘤クッションに関する。
【背景技術】
【０００２】
健膜瘤を保護し、この健膜瘤により生じる痛みを和らげるために、パッドのクッションを使用することがよく知られている。しかしながら、従来の健膜瘤クッションは、健膜瘤に隣接した位置に保持されがちであり、このことは使用者にとってしばしば快適なものではなかった。更に、ある従来の健膜瘤クッションの表面において通気用の穴を使用した場合でも、使用者が健膜瘤クッションの領域に汗をかき、このことにより許容レベルの衛生状態を維持するために健膜瘤クッションの交換または掃除を頻繁に行わなければならない場合がしばしばあった。さらに、従来の健膜瘤クッションは、概してコンパクトなものではなく、このため使用者にとって邪魔なものとなっていた。
【発明の開示】
【発明が解決しようとする課題】
【０００３】
本発明の目的は、装着するのに快適であり、望ましい位置に固定することができる効果的な手段を有し、通気が得られるような改善された手段、および／または美しく心地の良い外観を有する、健膜瘤クッションを提供することにある。
【課題を解決するための手段】
【０００４】
本発明の第１の態様は、１またはそれ以上の突起部を備え、この突起部は表面から延びるとともに使用の際に前記表面が使用者の肌に隣接して配置されるような健膜瘤クッションを提供する。
【０００５】
少なくとも１つの突起部は、表面の端部に隣接するよう配置され、使用の際にこの端部は前述の少なくとも１つの突起部により使用者の肌から離間するようになっていてもよい。表面における隣接する１の端部部分から表面における隣接する他の端部部分まで延びるような表面のある領域に、当該表面の領域から延びる少なくとも１つの突起部が設けられており、使用の際にこの表面の領域は使用者の肌から罹患し、２つの端部部分の間において流体が連通するようになっていてもよい。
【０００６】
健膜瘤クッションは、健膜瘤に隣接するよう配置されるクッション部分を更に備え、前述の表面はこのクッション部分に広がるようになっていてもよい。健膜瘤クッション上にある前述の表面は、閉じたループ形状となっていてもよい。さらに、クッション部分上にある１または各突起部は、細長い尾根部のように設けられていてもよい。理想的には、１または各細長い尾根部は、閉じたループ形状の中央を通って半径方向に延びていてもよい。少なくとも１つの細長い尾根部は、半円形状の断面を有していてもよい。
【０００７】
さらに、健膜瘤クッションは、使用者の肌に隣接する健膜瘤クッションを固定する固定手段を更に備え、前述の表面は固定手段に広がっているようになっていてもよい。固定手段上にある表面は、閉じたループ形状となっていてもよい。固定手段上にある１または各突起部は、細長い尾根部のように設けられていてもよい。これらの細長い尾根部は、固定手段の閉じたループ形状の中央を通って半径方向に延びていてもよい。少なくとも１つの細長い尾根部は、半円形状の断面を有していてもよい。
【０００８】
更に、１または各突起部は、前述の表面から垂直方向に約０．５ｍｍ離間した平面に位置される自由端を有することが好ましい。また、２つの隣り合う突起部は、互いに約２ｍｍ離間していることが好ましい。
【０００９】
本発明の第２の態様は、健膜瘤に隣接するよう配置されるクッション部分と、使用者の肌に隣接するクッション部分を固定する固定手段とを備え、固定手段は、材料の閉じたループを備え、この材料の閉じたループの縦方向部分は平面となっているような健膜瘤クッションを提供する。
【００１０】
材料の閉じたループは、第２の縦方向部分を有しており、この第２の縦方向部分は、第１の縦方向部分に対して角度をなすよう延びていてもよい。理想的には前述の角度は約９０°である。代わりに、前述の角度は鋭角であってもよい。この角度は、例えば、３０°から４５°の範囲内にあり、好ましくは４５°となっている。更に、前述の角度は、使用の際に使用者の肌に隣接するよう配置される固定手段の表面間に形成されることが好ましい。
【００１１】
理想的には、第１および第２の縦方向部分は、概して三角形形状を画定するよう設けられている。第１の縦方向部分は、互いに角度をなすような２つのほぼ一直線の要素を備えていてもよい。また、第２の縦方向部分および第１の縦方向部分の２つの要素は、３つの湾曲部分により互いに接続されており、概して三角形形状を有する材料の閉じたループを画定するようになっていてもよい。
【００１２】
第１の縦方向部分は、各湾曲部分のうちの１つによりクッション部分に隣接するようになっていてもよい。理想的には、第１の縦方向部分は、クッション部分と同じ平面上に配置されている。
【００１３】
本発明の第３の態様は、透明な材料から製造された健膜瘤クッションを提供する。理想的には、健膜瘤クッションは、健膜瘤に隣接するよう配置されるクッション部分、および使用者の肌に隣接するクッション部分を固定する固定手段を備えている。健膜瘤クッションの材料のショア００硬度は３０〜６５の範囲内にあり、好ましくは５５となっている。また、健膜瘤クッションの材料は、低い引っ張り強度となっていることが好ましい。例えば、引っ張り強度は１〜１０ＭＰａの範囲内にあり、好ましくは２〜５ＰＭａの範囲内にあり、理想的には２．８ＭＰａとなっている。好ましくは、健膜瘤クッションは、Ｍｏｎｏｐｒｅｎｅ（商標登録）のＴＰＥ  ＭＰ−１７９８熱可塑性エラストマーから製造されている。
【００１４】
健膜瘤クッションは、本発明の第１、第２、または第３の態様を、本発明における１または複数の他の態様と組み合わせたものであってもよい。
【発明を実施するための最良の形態】
【００１５】
本発明の実施の形態について、図面を参照して以下に記載する。
【００１６】
本発明による健膜瘤クッション２は、クッション部分４およびこのクッション部分を健膜瘤に固定する手段６を備えたものとして、添付図面により示される。
【００１７】
クッション部分４は、概してディスク形状となっており、周辺リング１０により囲まれる凹形の中央領域８が設けられている。凹形の中央領域８および周辺リング１０は、添付図面における図６の下面図および図７、８の側面図に最も明瞭に示されている。
【００１８】
周辺リング１０は、使用の際に健膜瘤クッション２により保護されるべき健膜瘤の周囲の円周を支持するよう機能することが理解されよう。このため、周辺リング１０の内径は、保護されるべき健膜瘤から半径方向において離間するような十分な大きさとなっている。周辺リング１０の半径深さ（言い換えると、周辺リング１０の内径と外径との間の距離）は、健膜瘤クッション２と使用者との間において快適で緩衝作用のある接触領域が得られるような大きさとなっている。同様に、周辺リング１０の横深さ（言い換えると、周辺リング１０の厚さ）は、快適な緩衝作用を与えるのに十分な大きさとなっている。
【００１９】
クッション部分４の外部表面１２は、周辺リング１０の中央１６に設けられた頂部１４を有するような凸形となっている。外部表面１２の凸形により、中央領域８における内側の凹形が設けられ、このことにより、使用の際にクッション部分４が健膜瘤クッション２により保護される健膜瘤から離間することを確実なものとする。
【００２０】
クッション部分４の大きさおよび形状は、添付図面に示されるものと異なるようにしてもよいことが当業者によって理解されよう。周辺リング１０は、保護されるべき健膜瘤の周囲に延びるような十分大きなものとすべきである。また、中央領域８は、健膜瘤と接触することなく健膜瘤上に延びることができるよう、十分に湾曲した内側の凹形の表面を有すべき、および／または周辺リング１０により十分に持ち上がるようにされるべきである。このようにして、クッション部分４は、健膜瘤を刺激することなく、また使用者に痛みを与えることなく、健膜瘤の保護を行う。
【００２１】
クッション部分４は、当該クッション部分４に取り付けられた固定手段６により、健膜瘤に位置固定される。固定手段６は、穴１８を形成するような材料の閉じたループを備えている。使用の際に、この穴１８を通って、使用者の足指が延びるようになっている。材料のループは、足指の周囲で快適なはめ合い感を与えるとともに、健膜瘤クッション２、とりわけクッション部分４が、より容易に健膜瘤が存在する足の端部に沿って横たわるような形状および位置となっている。
【００２２】
固定手段６自体が使用者の足指の周囲に横たわることを補助するために、材料のループは、概して材料の平らな細長い一片から形成されている。この細長い一片は、その全長に沿って曲げられたもの、折られたもの、ねじれたもの、あるいは他の形状となっており、足指の周囲で延びるよう、肌に横たわっている。ループの外部表面２０は、例えばほぼ切頭円錐状（ｆｒｕｓｔｒｏ−ｃｏｎｉｃａｌ）となっている。このような構成により、材料の細長い一片の第１の端部２２は、材料の第２の端部２４よりも小さな開口を画定する。添付図面より明らかなように、第２の端部２４は、クッション部分４に隣接するよう配置されている。ここで、第１の端部２２は、クッション部分４から遠ざかるよう配置されている。足指が第２の端部２４を通過するよう挿入され、この足指は第１の端部２２を介して穴１８から出る。言い換えると、使用の際に、第２の端部２４は、使用者の足指および足の間の接続部に近くなるような位置となる。このようにして、ループにおけるテーパをなす切頭円錐状により、確実に、固定手段が足指の接続部の周りで延びることができるようになり、この固定手段が肌に横たわるようになる。その結果、ループ（および健膜瘤クッション２全体）が、使用者にとって装着するのに快適なものとなる。
【００２３】
固定手段６を形成する材料の細長い一片は、上述のものと異なる態様としてもいいことは明らかであろう。例えば、クッション部分４から遠ざかるようなループの半分は部分的な切頭円錐状となり、クッション部分４に隣接するループの半分は平らで平面的なもの、あるいはクッション部分４に向かって徐々により平らで平面的となるようなものであってもよい。代わりに、ループは、互いに角度をなすよう構成される複数の平面的な全長部を有するものであってもよく、この場合、材料における面を刻むような閉じたループが設けられる。
【００２４】
選択的に、穴１８はループのほぼ一直線に延びる３つの部分２６、２８、３０により画定される三角形形状に近似するようになる。一直線に伸びる部分は、湾曲部分により相互に連結され、固定手段６は、湾曲部分のうちの１つによりクッション部分４に隣接するようになる。図１に示すように、健膜瘤クッション２の固定手段６は、３つの湾曲部分３２、３４、３６により接続される３つのほぼ一直線に延びる部分２６、２８、３０を備えていることが理解されよう。このようにして、ほぼ三角形形状となっている穴１８が設けられる。添付図面では図示しないが、固定手段６の弾性的に曲げやすい材料により、２つの一直線に延びる部分２８、３０がクッション部分４に対して曲がり、クッション部分４の同じ平面３８に、引き伸ばされることのない弛めた状態で横たわる。これらの２つの一直線に延びる部分２８、３０は、互いに接続されているとともに、湾曲部分３６によりクッション部分４に接続されている。他のほぼ一直線に延びる部分２６は、２つの湾曲部分３２、３４によって第１および第２のほぼ一直線に延びる部分２８、３０に接続し、この一直線に延びる部分２６は、第１および第２の部分２８、３０の平面３８と角度をなすよう形成される平面４０に横たわる。
【００２５】
一直線に延びる部分２６、２８、３０が横たわる上述の２つの平面は、添付図面に示すような実施の形態においては、互いに垂直となっていてもよい。代わりに、ほぼ一直線に延びる部分２６、２８、３０の２つの平面は、一方の平面の部分が他方の平面の部分に対して鋭角となるよう、例えば３０°または４５°となるよう、配置されるようになっていてもよい。
【００２６】
添付図面に示される固定手段６は、変更することができることが理解されよう。例えば、１または複数の一直線に延びる部分２６、２８、３０は、引き伸ばされることのない弛めた状態において、各々の平面３８、４０からカーブするよう形成されていてもよい。また、１または複数の一直線に延びる部分は、代わりに、あるいは追加的に、その全長に沿ってねじれるようになっていてもよい。
【００２７】
健膜瘤クッション２には、固定手段６および／またはクッション部分４を使用者の肌から持ち上げるような手段が更に設けられていてもよい。このような手段により、肌と、固定手段やクッション部分との間に空気が通ることができるようになる。添付図面に示される健膜瘤クッション２は、複数の細長い尾根部４２を有しており、この細長い尾根部４２により、固定手段６と使用者の足指との間で確実に空気が通ることができるようになる。細長い尾根部４２は、それぞれ、細長い半円筒形状（すなわち、半円形の断面）となっており、前述のループ材料の内部表面４４（すなわち、使用の際に足指に隣接するよう配置されるようなループの表面）と一体的に形成されている。細長い尾根部４２は、一直線に延びるとともに、穴１８のほぼ中央位置から半径方向に延びる。更に、細長い尾根部は、約１ｍｍの幅となっており、ループの内部表面４４から約０．５ｍｍ延びる。また、細長い尾根部の長さは、ループの全長に沿った位置に基づいて変化する（図６参照）。例えば、ほぼ一直線に延びる部分２６、２８、３０と角度をなすよう構成される細長い尾根部４２の長さは、一直線に延びる部分２６、２８、３０と直接的に交差する（すなわち、直交する）よう延びる細長い尾根部４２よりも大きくなっている。添付図面により、細長い尾根部４２は、ループの第１の端部２２に隣接する位置から、ループの第２の端部４に隣接する位置まで延び、ループの幅全体が確実に使用者の肌から持ち上げられることが理解されよう。さらに、各細長い尾根部４２間で空気が十分に流れるようにするために、隣り合う細長い尾根部４２間は約２ｍｍ離間するようになっている。
【００２８】
クッション部分４に隣接する固定手段６の位置にある細長い尾根部４２は、クッション部分４に交わる固定手段６から延びるようになっていてもよい（しかしながら、この態様は添付図面には示されていない）。実際には、クッション部分４の周辺リング１０に、細長い尾根部や他の手段が設けられるようになっていてもよく、これらの細長い尾根部や他の手段は、空気の流れを得るために固定手段６に使用される細長い尾根部と類似または同一となっている。例えば、細長い尾根部は半径方向に延び、凹形の中央領域８の中心をほぼ通るようになっていてもよい。このようにして、使用の際に、健膜瘤クッション２の外部から、周辺リング１０と使用者の肌との間の領域に空気が流れ、この空気は凹形の中央領域８内に入るようになる。健膜瘤クッション２により保護されている健膜瘤の周囲を広がるような冷却空気の流れが形成される。このことは、使用者の肌を快適な温度で維持し、局所的な汗を減少させ、このことにより、許容レベルの衛生状態を維持するために行われる健膜瘤クッション２の交換または掃除を行う回数を減少させるという作用がある。
【図面の簡単な説明】
【００２９】
【図１】本発明による健膜瘤クッションの上面図である。
【図２】図１に示す健膜瘤クッションの前面図である。
【図３】隠れた部分を示す線が設けられた、図１に示す健膜瘤クッションの上面図である。
【図４】隠れた部分を示す線が設けられた、図１に示す健膜瘤クッションの前面図である。
【図５】隠れた部分を示す線が設けられた、図１に示す健膜瘤クッションの背面図である。
【図６】隠れた部分を示す線が設けられた、図１に示す健膜瘤クッションの下面図である。
【図７】隠れた部分を示す線が設けられた、図１に示す健膜瘤クッションを右側から見た側面図である。
【図８】隠れた部分を示す線が設けられた、図１に示す健膜瘤クッションを左側から見た側面図である。
【図１】
2008544767.tif 000003
【図２】
2008544767.tif 000004
【図３】
2008544767.tif 000005
【図４】
2008544767.tif 000006
【図５】
2008544767.tif 000007
【図６】
2008544767.tif 000008
【図７】
2008544767.tif 000009
【図８】
2008544767.tif 000010
【手続補正書】
【提出日】平成19年5月2日(2007.5.2)
【手続補正１】
【補正対象書類名】特許請求の範囲
【補正対象項目名】全文
【補正方法】変更
【補正の内容】
【特許請求の範囲】
【請求項１】
１またはそれ以上の突起部を有する表面を備え、前記突起部は表面から延び、前記表面は使用の際に使用者の肌に隣接して配置されるような健膜瘤クッション。
【請求項２】
少なくとも１つの突起部は、前記表面の端部に隣接するよう配置され、使用の際にこの端部は前記少なくとも１つの突起部により使用者の肌から離間するようになっていることを特徴とする請求項１記載の健膜瘤クッション。
【請求項３】
前記表面における隣接する一の端部部分から前記表面における隣接する他の端部部分まで延びるような前記表面のある領域に、当該表面の領域から延びる少なくとも１つの突起部が設けられており、使用の際に前記表面の前記領域は使用者の肌から離間し、２つの端部部分の間において流体が連通するようになっていることを特徴とする請求項１または２記載の健膜瘤クッション。
【請求項４】
健膜瘤に隣接するよう配置されるクッション部分を更に備え、前記表面は前記クッション部分に広がっていることを特徴とする請求項１記載の健膜瘤クッション。
【請求項５】
前記健膜瘤クッション上にある前記表面は、閉じたループ形状であることを特徴とする請求項４記載の健膜瘤クッション。
【請求項６】
前記クッション部分上にある１または各突起部は、細長い尾根部のように設けられていることを特徴とする請求項４記載の健膜瘤クッション。
【請求項７】
前記１または各細長い尾根部は、前記閉じたループ形状の中央を通って半径方向に延びていることを特徴とする請求項６記載の健膜瘤クッション。
【請求項８】
少なくとも１つの前記細長い尾根部は、半円形状の断面を有することを特徴とする請求項６記載の健膜瘤クッション。
【請求項９】
使用者の肌に隣接する健膜瘤クッションを固定する固定手段を更に備え、前記表面は前記固定手段に広がっていることを特徴とする請求項１記載の健膜瘤クッション。
【請求項１０】
前記固定手段上にある前記表面は、閉じたループ形状であることを特徴とする請求項９記載の健膜瘤クッション。
【請求項１１】
前記固定手段上にある１または各突起部は、細長い尾根部のように設けられていることを特徴とする請求項９記載の健膜瘤クッション。
【請求項１２】
前記１または各細長い尾根部は、前記固定手段の閉じたループ形状の中央を通って半径方向に延びていることを特徴とする請求項１１記載の健膜瘤クッション。
【請求項１３】
少なくとも１つの前記細長い尾根部は、半円形状の断面を有することを特徴とする請求項１１記載の健膜瘤クッション。
【請求項１４】
１または各突起部は、前記表面から垂直方向に約０．５ｍｍ離間した平面に位置される自由端を有することを特徴とする請求項１記載の健膜瘤クッション。
【請求項１５】
２つの隣り合う突起部は、互いに約２ｍｍ離間していることを特徴とする請求項１または９記載の健膜瘤クッション。
【請求項１６】
健膜瘤に隣接するよう配置されるクッション部分と、
使用者の肌に隣接するクッション部分を固定する固定手段とを備え、
前記固定手段は、使用者の足指の周囲に位置決めを行うための材料の閉じたループを備え、この材料の閉じたループの第１の縦方向部分は平面となっており、この材料の閉じたループの第２の縦方向部分は前記第１の縦方向部分の平面に対して角度をなすよう延びていることを特徴とする健膜瘤クッション。
【請求項１７】
前記角度は約９０°であることを特徴とする請求項１６記載の健膜瘤クッション。
【請求項１８】
前記角度は鋭角であることを特徴とする請求項１６記載の健膜瘤クッション。
【請求項１９】
前記角度は３０°〜４５°の範囲内にあり、好ましくは４５°であることを特徴とする請求項１８記載の健膜瘤クッション。
【請求項２０】
前記角度は、使用の際に使用者の肌に隣接するよう配置される前記固定手段の表面間に形成されることを特徴とする請求項１６乃至１９のいずれか一項に記載の健膜瘤クッション。
【請求項２１】
前記第１および第２の縦方向部分は、概して三角形形状を画定するよう設けられていることを特徴とする請求項１６乃至２０のいずれか一項に記載の健膜瘤クッション。
【請求項２２】
前記第１の縦方向部分は、互いに角度をなすような２つのほぼ一直線に延びる要素を備えたことを特徴とする請求項２１記載の健膜瘤クッション。
【請求項２３】
前記第２の縦方向部分および前記第１の縦方向部分の２つの要素は、３つの湾曲部分により互いに接続されており、概して三角形形状を有する材料の閉じたループを画定していることを特徴とする請求項２２記載の健膜瘤クッション。
【請求項２４】
前記第１の縦方向部分は、前記各湾曲部分のうちの１つにより前記クッション部分に隣接していることを特徴とする請求項２３記載の健膜瘤クッション。
【請求項２５】
前記第１の縦方向部分は、前記クッション部分と同じ平面上に配置されていることを特徴とする請求項２４記載の健膜瘤クッション。
【請求項２６】
前記第１の縦方向部分は、前記クッション部分が配置される平面に対して角度をなすような向きとなっている平面上に配置されていることを特徴とする請求項２４記載の健膜瘤クッション。
【請求項２７】
透明な材料から製造された健膜瘤クッション。
【請求項２８】
健膜瘤に隣接するよう配置されるクッション部分、および使用者の肌に隣接するクッション部分を固定する固定手段を備えた請求項２７記載の健膜瘤クッション。
【請求項２９】
前記健膜瘤クッションの材料のショア００硬度は３０〜６５の範囲内にあることを特徴とする請求項２７または２８記載の健膜瘤クッション。
【請求項３０】
前記健膜瘤クッションの材料のショア００硬度は５５であることを特徴とする請求項２９記載の健膜瘤クッション。
【請求項３１】
前記健膜瘤クッションの材料は、低い引っ張り強度となっていることを特徴とする請求項２７乃至３０のいずれか一項に記載の健膜瘤クッション。
【請求項３２】
前記引っ張り強度は１〜１０ＭＰａの範囲内にあることを特徴とする請求項３１記載の健膜瘤クッション。
【請求項３３】
前記引っ張り強度は２〜５ＭＰａの範囲内にあることを特徴とする請求項３２記載の健膜瘤クッション。
【請求項３４】
前記引っ張り強度は２．８ＭＰａであることを特徴とする請求項３３記載の健膜瘤クッション。
【請求項３５】
前記健膜瘤クッションはＴＰＥ  ＭＰ−１７９８熱可塑性エラストマーから製造されていることを特徴とする請求項２７乃至３４のいずれか一項に記載の健膜瘤クッション。
【請求項３６】
図面を参照して以上に実質的に記載される健膜瘤クッション。
【手続補正２】
【補正対象書類名】明細書
【補正対象項目名】０００４
【補正方法】変更
【補正の内容】
【０００４】
本発明の第１の態様は、１またはそれ以上の突起部を有する表面を備え、前記突起部は表面から延び、前記表面は使用の際に使用者の肌に隣接して配置されるような健膜瘤クッションを提供する。
【手続補正３】
【補正対象書類名】明細書
【補正対象項目名】０００９
【補正方法】変更
【補正の内容】
【０００９】
本発明の第２の態様は、健膜瘤に隣接するよう配置されるクッション部分と、使用者の肌に隣接するクッション部分を固定する固定手段とを備え、前記固定手段は、使用者の足指の周囲に位置決めを行うための材料の閉じたループを備え、この材料の閉じたループの第１の縦方向部分は平面となっており、この材料の閉じたループの第２の縦方向部分は前記第１の縦方向部分の平面に対して角度をなすよう延びているような健膜瘤クッションを提供する。
【手続補正４】
【補正対象書類名】明細書
【補正対象項目名】００１０
【補正方法】変更
【補正の内容】
【００１０】
理想的には前述の角度は約９０°である。代わりに、前述の角度は鋭角であってもよい。この角度は、例えば、３０°から４５°の範囲内にあり、好ましくは４５°となっている。更に、前述の角度は、使用の際に使用者の肌に隣接するよう配置される固定手段の表面間に形成されることが好ましい。
【国際調査報告】
2008544767.tif 000011
2008544767.tif 000012
2008544767.tif 000013